(57)【要約】  二剤式染毛剤を用いる毛髪染色方法において、アンモニア等の揮発成分による、刺激臭、皮膚への刺激や、皮膚に冷たいと感じる不快を解決し、かつ染毛剤の発色を向上させ、さらに、染毛剤の混合や塗布の作業性を向上させる毛髪染色方法を提供する。上記二剤式染毛剤を用いる毛髪染色方法は、（Ａ）第１剤を加熱し、揮発成分を除去する工程、（Ｂ）揮発成分を除去した第１剤に、第２剤を混合し、染毛剤を調製する工程、および（Ｃ）調製した染毛剤を用いて染毛処理を施す工程、をこの順に含むことを特徴とする。また、内側に、上部に開口し、毛髪処理液を収容可能な半球状の第１容器（１０）と、外側に、第１容器（１０）と上縁（１１）、（２１）同士が連結され、第１容器（１０）との間隙に液体（３０）を収容可能な半球状または円筒状の第２容器（２０）と、を備える二重構造容器であることを特徴とする、毛髪処理液用カップ（１）を提供する。
2013105272.tif 000002
【特許請求の範囲】
【請求項１】
内側に、上部に開口し、毛髪処理液を収容可能な半球状の第１容器と、外側に、第１容器と上縁同士が連結され、第１容器との間隙に液体を収容可能な半球状または円筒状の第２容器と、を備える二重構造容器であることを特徴とする、毛髪処理液用カップ。
【請求項２】
さらに、第２容器の下面に、注排水口を備える、請求項１記載の毛髪処理液用カップ。
【請求項３】
さらに、第２容器の外周部に、毛髪処理液用カップを自立させるための脚部を備える、請求項１記載の毛髪処理液用カップ。
【請求項４】
内側に、上部に開口し、毛髪処理液を収容可能な半球状の第１容器と、外側に、第１容器との間隙に加熱可能なゲルを収容した第２容器と、を備える二重構造容器であることを特徴とする、毛髪処理液用カップ。
【請求項５】
第１容器の上縁と、第２容器の上縁とが連結される、請求項４記載の毛髪処理液用カップ。
【請求項６】
さらに、第２容器の外周部に、毛髪処理液用カップを自立させるための脚部を備える、請求項４記載の毛髪処理液用カップ。
【請求項７】
第１剤と第２剤とを有する二剤式染毛剤を用いる毛髪染色方法であって、
（Ａ）第１剤を加熱し、揮発成分を除去する工程、
（Ｂ）揮発成分を除去した第１剤に、第２剤を混合し、染毛剤を調製する工程、および
（Ｃ）調製した染毛剤を用いて染毛処理を施す工程、
をこの順に含むことを特徴とする、毛髪染色方法。
【請求項８】
請求項１または４記載の毛髪処理液用カップを用いて、（Ａ）工程〜（Ｃ）工程を行う、請求項７記載の毛髪染色方法。
【発明の詳細な説明】
【技術分野】
【０００１】
本発明は、ヘアカラーカップ、ヘアマニキュアカップ、ヘアカラーカップのような、染料を入れるための染料カップや、パーマ剤用カップ等の毛髪処理液用カップ、および毛髪染色方法に関する。
【背景技術】
【０００２】
理髪店や美容院では、染料としての染毛剤を用いた染毛施術が行われている。使用される染毛剤としては、効果が持続的であり、ブリーチ（脱色）効果を伴うため、元の毛髪よりも明るい色調に染色することができるといった理由により、特に、酸化染毛剤が広く利用されている。酸化染毛剤には、使用時に水と混合する一剤式や多剤式があるが、酸化染料とアルカリ剤を含む第１剤と、酸化剤を含む第２剤からなる二剤式のものが主流となっている（特許文献１）。【０００３】
一般に、酸化染毛剤の第１剤に含まれるアルカリ剤には、アンモニア等の揮発成分が使用されており、室温で第１剤と第２剤を混合する従来の使用方法では、第１剤中のアンモニア等の揮発成分が、刺激臭を有する、皮膚を刺激する、皮膚に冷たい、頭皮が収縮する等の不快を感じさせたりする、という欠点がある。【０００４】
ここで、市販の染毛剤の取扱説明書には、第１剤と第２剤の混合を、常温で行うように記載されている。しかし、冬と夏では、気温に差があるため、毛髪の染色度に差が出てしまう、という欠点がある。【０００５】
また、理髪店や美容院では、染毛剤の発色を良くするために、混合後の酸化染毛剤を毛髪に塗布した後、頭部にラップをかけた後、ローラーボール等の加温機で１０分間程度加熱する方法も行われているが、毛髪の内部まで均一に加熱することができないため、表面のみが濃く染色されてしまい、色むらが発生しやすいという欠点がある。また、頭皮付近の髪と髪の先端を均一に加熱することができないため、体温により温度が高い頭皮近くの髪が濃く染色されてしまい、色むらが発生しやすい、色落ちに差が出てしまうという欠点がある。【０００６】
加えて、以下の欠点がある。染毛剤は、毛髪脱色効果を有しており、染毛剤を毛髪に塗布した際には、まず、１０分間程度かけて毛髪を脱色した後、発色するように設計されている。この脱色も発色も、室温ではあまり効果を発揮でないため、ローラーボール等の加温機で１０分間程度加熱する方法が使用されているが、この加温機を使用する方法では、染毛剤塗布直後の脱色のための１０分間には、染毛剤の温度がまだ高くないため、脱色が不十分になりやすい。【０００７】
一方、染毛剤が頭皮についたときの心地よさ、塗布用の刷毛の置き場の提供、カップを平面に安定に置くことを目的として、容器本体の上面に、カップを組み合わせ、上面カップのすみの注排水口に、キャップを設け、本体側面に塗布用はけ差し込み口を設ける染毛剤加温カップが開示されている（特許文献２）。【０００８】
しかしながら、この染毛剤加温カップは、容器本体が直方体であり、安定のために、お湯を入れた容器自体に重さを求めるため、多量のお湯を必要とし、電気ポットで沸かした高温の水を注ぐと、染毛剤の温度が高くなり過ぎる、多量の高温水を使用するために、やけどをし易く、エネルギーの無駄になる；注排水口を上面カップのすみに設けるため、注排水口が染毛剤の塗布作業の邪魔になる上に、作業性のために注排水口の径を大きくすることができない。さらに、一般に理髪店や美容院で使用されている、板に円形の穴が形成されているカップボードに収納することができない、という欠点がある。
【先行技術文献】
【特許文献】
【０００９】
【特許文献１】特開２０１０−６８０４号公報
【特許文献２】特開２０００−３１６６２７号公報
【発明の概要】
【発明が解決しようとする課題】
【００１０】
本発明は、二剤式染毛剤を用いる毛髪染色方法において、アンモニア等の揮発成分による、刺激臭、皮膚への刺激や、皮膚に冷たいと感じる不快を解決し、かつ染毛剤の発色を向上させ、さらに、染毛剤の混合や塗布の作業性を向上させることを目的とする。また、この毛髪染色方法に適した毛髪処理液用カップを提供することを目的とする。
【課題を解決するための手段】
【００１１】
本発明は、以下に示す構成によって上記課題を解決した毛髪処理液用カップ、および毛髪染色方法に関する。
〔１〕内側に、上部に開口し、毛髪処理液を収容可能な半球状の第１容器と、外側に、第１容器と上縁同士が連結され、第１容器との間隙に液体を収容可能な半球状または円筒状の第２容器と、を備える二重構造容器であることを特徴とする、毛髪処理液用カップ。
〔２〕さらに、第２容器の下面に、注排水口を備える、上記〔１〕記載の毛髪処理液用カップ。
〔３〕さらに、第２容器の外周部に、毛髪処理液用カップを自立させるための脚部を備える、上記〔１〕記載の毛髪処理液用カップ。
〔４〕内側に、上部に開口し、毛髪処理液を収容可能な半球状の第１容器と、外側に、第１容器との間隙に加熱可能なゲルを収容した半球状または円筒状の第２容器と、を備える二重構造容器であることを特徴とする、毛髪処理液用カップ。
〔５〕第１容器の上縁と、第２容器の上縁とが連結される、上記〔４〕記載の毛髪処理液用カップ。
〔６〕さらに、第２容器の外周部に、毛髪処理液用カップを自立させるための脚部を備える、上記〔４〕記載の毛髪処理液用カップ。
〔７〕第１剤と第２剤とを有する二剤式染毛剤を用いる毛髪染色方法であって、
（Ａ）第１剤を加熱し、揮発成分を除去する工程、
（Ｂ）揮発成分を除去した第１剤に、第２剤を混合し、染毛剤を調製する工程、および
（Ｃ）調製した染毛剤を用いて染毛処理を施す工程、
をこの順に含むことを特徴とする、毛髪染色方法。
〔８〕上記〔１〕または〔４〕記載の毛髪処理液用カップを用いて、（Ａ）工程〜（Ｃ）工程を行う、上記〔７〕記載の毛髪染色方法。
【発明の効果】
【００１２】
本発明〔１〕によれば、第１容器と第２容器の間隙に、温水等の加熱された液体を収容することにより、二剤式染毛剤を用いる毛髪染色方法で、まず、第１剤を加熱し、揮発成分を除去する工程、次に、揮発成分を除去した第１剤に、第２剤を混合し、染毛剤を調製する工程、最後に、調製した染毛剤を用いて染毛処理を施す工程を、簡便に行うことができる。また、本発明〔１〕の毛髪処理液用カップは、パーマ剤等の加温にも適しており、好適に使用することができる。【００１３】
本発明〔２〕によれば、径の大きい注排水口を形成しても、毛髪処理液の塗布の作業性を損なうことなく、液体の注排水の作業性を向上させることができる。【００１４】
本発明〔４〕によれば、電子レンジ等で簡便にゲルを加熱することができるため、二剤式染毛剤を用いる毛髪染色方法で、まず、第１剤を加熱し、揮発成分を除去する工程、次に、揮発成分を除去した第１剤に、第２剤を混合し、染毛剤を調製する工程、最後に、調製した染毛剤を用いて染毛処理を施す工程を、簡便に行うことができる。また、本発明〔４〕の毛髪処理液用カップは、パーマ剤等の加温にも適しており、好適に使用することができる。【００１５】
本発明〔７〕によれば、二剤式染毛剤を用いる毛髪染色方法において、アンモニア等の揮発成分による、刺激臭、皮膚への刺激や、皮膚に冷たいと感じる不快を解決し、かつ染毛剤の発色を向上させることができる。【００１６】
本発明〔８〕によれば、本発明〔７〕の作業を簡便に行うことができる。
【図面の簡単な説明】
【００１７】
【図１】本発明の毛髪処理液用カップの断面の模式図の一例である。
【図２】本発明の毛髪処理液用カップの断面の模式図の一例である。
【図３】本発明の毛髪処理液用カップの断面の模式図の一例である。
【図４】本発明の毛髪処理液用カップの断面の模式図の一例である。
【図５】本発明の毛髪処理液用カップの持ち手の形状を説明するための模式図である。
【図６】本発明の毛髪処理液用カップの持ち手の形状を説明するための模式図である。
【発明を実施するための形態】
【００１８】
以下、本発明を実施形態に基づいて具体的に説明する。なお、％は特に示さない限り、また数値固有の場合を除いて質量％である。
【００１９】
〔毛髪染色方法〕
本発明の毛髪染色方法は、第１剤と第２剤とを有する二剤式染毛剤を用いる毛髪染色方法であって、
（Ａ）第１剤を加熱し、揮発成分を除去する工程、
（Ｂ）揮発成分を除去した第１剤に、第２剤を混合し、染毛剤を調製する工程、および
（Ｃ）調製した染毛剤を用いて染毛処理を施す工程、
をこの順に含むことを特徴とする。
【００２０】
二剤式染毛剤は、市販のものでよく、特に限定されない。一般に、第１剤は、酸化染料とアルカリ剤を含み、第２剤は、酸化剤を含む。市販品としては、タマリス製クリエイティブ  フェリエ（品名：ＢＮ８番、カラーレベル：８）等が挙げられる。
【００２１】
（Ａ）工程では、第１剤を加熱し、好ましくは撹拌しながら、揮発成分を除去することにより、アンモニア等の揮発成分が、皮膚を刺激する、皮膚に冷たい、頭皮が収縮する等の不快を感じさせたりすることを抑制することができる。このとき、息を吹きかけながら撹拌をすると、揮発成分が揮発しやすくなり、より好ましい。ここで、（Ａ）工程の加熱条件の一例は、３０〜５０℃で、１〜１５分であり、３５〜４０℃で２〜５分であると、作業性の観点から好ましい。
【００２２】
次に、（Ｂ）工程で、揮発成分を除去した第１剤に、第２剤を混合し、染毛剤を調製した後、（Ｃ）工程で調製した染毛剤を用いて染毛処理を施す。加熱された染毛剤を使用することにより、夏冬間の気温差による毛髪の染色度のばらつき、毛髪の内部と表面の染色度のばらつきを抑制することができる。また、加熱された染毛剤を使用することにより、毛髪の脱色も効率よく行うことができため、毛髪の染色度のばらつきを一層抑えることができる。詳細には、毛髪は、微量の鉄を含有しており、毛髪に染毛剤を塗布すると、毛髪中の鉄と反応して、毛髪が染毛される。したがって、染毛剤の温度が一定範囲内であると、毛髪中の鉄と染毛剤との反応速度も一定になる。ここで、（Ｂ）工程の混合時間の一例は、２〜１５分であり、３〜５分であると、作業性の観点から好ましい。通常、（Ｂ）工程では、特に加熱は行わず、（Ａ）工程での余熱で作業を行う。なお、（Ｂ）工程では、第１剤に、第２剤を加えた後、２〜３分間放置して、第２剤を加温し、この後、１〜２分間撹拌による混合をすると、染毛剤が均質になり易いので、好ましい。また、（Ｃ）工程では、染毛剤が３５〜４０℃であると、頭皮の温度と同程度であるので、好ましい。
【００２３】
なお、染毛剤の発色を良くするために、混合後の酸化染毛剤を毛髪に塗布した後、頭部にラップをかけた後、ローラーボール等の加温機で１０分間程度加熱する方法では、毛髪に塗布するのに約１０分間、次に、加熱を始めて１０分間で、効率が良好ではない脱色が起こり、その後、発色という過程を経て染色が行われる。これに対して、本発明の毛髪染色方法では、ローラーボール等の加温機による加熱は不要であり、少なくても加温機による加熱の１０分間は染色時間が短縮できる上に、毛髪に塗布した直後に効率の良好な脱色、続いて発色をするので、染毛剤を非常に効果的に使用できるため、染色度が高い上に、染色後の色落ちも少なく、非常に有用である。
【００２４】
〔液体で毛髪処理液を加熱可能な毛髪処理液用カップ〕
本発明の液体で毛髪処理液を加熱可能な毛髪処理液用カップは、内側に、上部に開口し、毛髪処理液を収容可能な半球状の第１容器と、外側に、第１容器と上縁同士が連結され、第１容器との間隙に液体を収容可能な半球状または円筒状の第２容器と、を備える二重構造容器であることを特徴とし、上述の毛髪染色方法に非常に適している。ここで、毛髪処理液用カップを構成する第１容器、第２容器等の材質としては、ポリプロピレン、ポリエチレン、シリコーンゴム等の樹脂が挙げられるが、これらに限定されない。なお、本発明の毛髪処理液用カップは、染料を加熱可能な染料カップとして最適であるが、パーマ剤等の加温にも適しており、好適に使用することができる。パーマ剤等の場合にも、刺激臭がある、皮膚を刺激する、皮膚に冷たい、頭皮が収縮する等の不快を抑制することができる。
【００２５】
図１に、液体で毛髪処理液を加熱可能な毛髪処理液用カップの断面の模式図の一例を示す。図１は、第２容器が半球状の例である。図１からわかるように、毛髪処理液用カップ１は、内側に、上部に開口し、毛髪処理液を収容可能な半球状の第１容器１０と、外側に、第１容器と上縁１１、２１同士が連結され、第１容器１１との間隙に液体３０を収容可能な半球状の第２容器２０と、を備える密閉された二重構造容器である。
【００２６】
図１に示すように、毛髪処理液用カップ１は、さらに、第２容器２０の下面に、注排水口２３を備えると、注排水の作業性の観点から好ましい。注排水口２３を第２容器２０の下面に設けることにより、注排水口２３の径を大きくすることができる。注水は、注排水口２３を上にして行い、注水後にキャップ４０で注排水口２３を覆う。なお、毛髪処理液用カップに注排水口が形成されていない場合には、注射器等により、第１容器または第２容器の壁を通して液体を収容することができる。
【００２７】
また、図１に示すように、毛髪処理液用カップ１は、さらに、第２容器２０の外周部に、毛髪処理液用カップ１を自立させるための脚部２２を備えると、カップボードがない場所でも毛髪の染色作業をしやすくなり、好ましい。
【００２８】
また、図１に示すように、毛髪処理液用カップ１は、さらに、第２容器２０の上縁から外側方向に、持ち手２４を備えると、毛髪処理液用カップ１のハンドリング性がよくなるので、好ましい。持ち手の形状は、特に限定されないが、例えば、図５に示すような把手型や、図６に示すような略三角形型であると、（Ａ）〜（Ｃ）工程での作業性を損なわず、より好ましい。
【００２９】
なお、第２容器２０の下面等に、保温用のヒーターを備えてもよい。
【００３０】
次に、図２に、液体で毛髪処理液を加熱可能な毛髪処理液用カップの断面の模式図の一例を示す。図２は、第２容器が円筒状の例である。図２に示すように、第２容器は、上部より下部の面積が狭くなっていてもよく、辺部が丸みを帯びていてもよい。図２からわかるように、毛髪処理液用カップ２は、内側に、上部に開口し、毛髪処理液を収容可能な半球状の第１容器１５と、外側に、第１容器と上縁１６、２６同士が連結され、第１容器１６との間隙に液体３５を収容可能な円筒状の第２容器２５と、を備える密閉された二重構造容器である。
【００３１】
さらに、第２容器２５の下面に、注排水口２８や、第２容器２５の外周部に、毛髪処理液用カップを自立させるための脚部２７、持ち手２９を備えると好ましいことは、第２容器が半球状の場合と同様である。
【００３２】
〔ゲルで毛髪処理液を加熱可能な毛髪処理液用カップ〕
本発明のゲルで毛髪処理液を加熱可能な毛髪処理液用カップは、内側に、上部に開口し、毛髪処理液を収容可能な半球状の第１容器と、外側に、第１容器との間隙に加熱可能なゲルを収容した半球状または円筒状の第２容器と、を備える二重構造容器であることを特徴とし、上述の毛髪染色方法に非常に適している。ここで、毛髪処理液用カップを構成する第１容器、第２容器等の材質については、液体で毛髪処理液を加熱可能な毛髪処理液用カップの場合と同様である。ゲルとしては、電子レンジ等で加熱が可能で、温度保持性に優れているものが好ましい。
【００３３】
図３に、ゲルで毛髪処理液を加熱可能な毛髪処理液用カップの断面の模式図の一例を示す。図３は、第２容器が半球状の例である。図３からわかるように、毛髪処理液用カップ３は、内側に、上部に開口し、毛髪処理液を収容可能な半球状の第１容器５０と、外側に、第１容器５０との間隙に加熱可能なゲル７０を収容した半球状または円筒状の第２容器６０と、を備える二重構造容器であることを特徴とする。図３に示すように、毛髪処理液用カップ３は、さらに、第２容器の外周部に、毛髪処理液用カップを自立させるための脚部６２、持ち手６４を備えると好ましいことは、液体で毛髪処理液を加熱可能な毛髪処理液用カップの場合と同様である。
【００３４】
また、図４に示すように、毛髪処理液用カップ４は、第１容器５５の上縁５６と、第２容器６５の上縁６６とが連結されると、ゲルの保持性が高くなり、好ましい。図４に示すように、毛髪処理液用カップ４は、さらに、第２容器の外周部に、毛髪処理液用カップを自立させるための脚部６７、持ち手６９を備えると好ましいことは、液体で毛髪処理液を加熱可能な毛髪処理液用カップの場合と同様である。
【００３５】
以上のように、本発明の液体またはゲルで毛髪処理液を加熱可能な毛髪処理液用カップを使用することにより、本発明の毛髪染色方法を簡便に行うことができる。また、第１剤、第２剤と、液体またはゲルの体積比の一例としては、１：１：（２〜１０）が挙げられ、例えば、９０℃の温水を液体として用いる場合には、第１剤、第２剤を３５℃程度まで加熱することができ、良好な毛髪の染色を行うことが可能となる。
【実施例】
【００３６】
以下に、実施例により、本発明を詳細に説明するが、本発明はこれらに限定されるものではない。【００３７】
〔実施例１〕
二剤式染毛剤には、タマリス製クリエイティブ  フェリエ（品名：ＢＮ８番、カラーレベル：８）を用いた。毛髪処理液用カップには、図１に示すタイプを使用した。注排水口２３を上にして、９０℃に加熱した温水：２００ｃｍ３を、第１容器１０と第２容器２０の間隙に充填し、キャップ３０で覆った。次に、毛髪処理液用カップを反転させ、第１容器を上部に開口させた後、第１剤を４０ｇ加え、２分間息を吹きかけながら撹拌し、アンモニア臭と思われる刺激臭がなくなった後、第１剤中に、第２剤を３０ｇ加えて、２分間放置して、第２剤を加温し、第１剤と第２剤の温度を安定させた。２分経過後、第１剤と第２剤の混合物を１分間撹拌し、染毛剤を調製した。このとき、染毛剤は発熱し、染毛剤の温度は、３６〜３７℃になった。この後、５分間放置した。表１に、各工程での第１剤の温度、第１剤と第２剤の温度を示す。表１からわかるように、第１剤と第２剤を混合して調整した染毛剤の温度は、３８〜４０℃と、室温（２５℃）より１０℃以上高くなった。【００３８】
調製した染毛剤を毛髪に１０分間塗布し、２０分放置した後、毛髪を洗浄し、乾燥した。タマリス製ナチュラル用カラーチャートを用いて、染色度を測定した。このとき、染色を施された被験者に感想を聞いたところ、従来の毛髪染色方法と比較して、刺激臭や、皮膚への刺激がなく、また、皮膚に冷たいと感じる不快も無く、快適であった、とのことであった。【００３９】
〔実施例２〜３〕
表１に示す条件にしたこと以外は、実施例１と同様にして、染毛を行った。【００４０】
〔比較例１〕
二剤式染毛剤には、タマリス製クリエイティブ  フェリエ（品名：ＢＮ８番、カラーレベル：８）を用いた。市販のカラーカップを用い、室温（２５℃）で、第１剤と第２剤を混合し、染毛剤を調製した。調製した染毛剤を毛髪に１０分間塗布した後、頭部にラップをかけ、ローラーボールで１０分間加温した。その後、２０分放置した後、毛髪を洗浄し、乾燥した。その後、実施例１と同様に、染色度を測定した。このとき、染色を施された被験者に感想を聞いたところ、刺激臭や、皮膚への刺激があり、また、皮膚に冷たいと感じ、不快であった、とのことであった。【００４１】
【表１】
2013105272.tif 000003
【００４２】
実施例１〜３では、頭皮付近の毛髪の色も、頭皮から５ｍｍ以上離れた場所での毛髪の色も、カラーレベル：９と均質であり、染毛剤の仕様であるカラーレベル：８より高い、すなわち、明るい色になった。染毛剤の能力が十分に発揮されたためである、と考えられる。また、１ヶ月後の毛髪を観察した結果、頭皮付近（頭皮から約１ｍｍまで）の毛髪は伸びて、黒色になったものの、染色した毛髪の色落ちは無かった。これに対して、比較例１では、頭皮から５ｍｍまでの頭皮に近い部分の毛髪は、カラーレベル：９であったが、頭皮から５ｍｍより離れた場所での毛髪の色は、カラーレベル：８と、均質ではなかった。また、また、１ヶ月後の毛髪を観察した結果、頭皮付近（頭皮から約１ｍｍまで）の毛髪は伸びて、黒色になり、頭皮から約１〜６ｍｍの毛髪は、カラーレベル：９と明るく、頭皮から６ｍｍより離れた毛髪は、カラーレベル：８であった。頭皮から順に、黒、明るいカラーレベル：９、少し暗いカラーレベル：８になるため、不自然な色合いになった。【００４３】
以上のように、本発明の毛髪処理液用カップを使用して、本発明の毛髪染色方法をしようすることにより、均一な染毛を行うことができた。また、本発明の毛髪染色方法は、毛髪染色時に、刺激臭や、皮膚への刺激がなく、また、皮膚に冷たいと感じる不快も無く、快適である。
【産業上の利用可能性】
【００４４】
毛髪処理液用カップは、ヘアカラーカップ、ヘアマニキュアカップ、ヘアカラーカップのような、染料を入れるための染料カップや、パーマ用カップ等に適用できる。また、毛髪染色方法は、二剤式染毛剤に適用することができる。
【符号の説明】
【００４５】
１、２、３、４    毛髪処理液用カップ
１０、１５、５０、５５、８０、８５    第１容器
２０、２５、６０、６５、９０、９５    第２容器
１１、１６、５６    第１容器の上縁
２１、２６、６６    第２容器の上縁
２２、２７、６２、６７    第２容器の脚部
２３、２８    第２容器の注排水口
２４、２９、６４、６９、９４、９９    持ち手
３０、３５    液体
４０、４５    キャップ
７０、７５    ゲル
【図１】
2013105272.tif 000004
【図２】
2013105272.tif 000005
【図３】
2013105272.tif 000006
【図４】
2013105272.tif 000007
【図５】
2013105272.tif 000008
【図６】
2013105272.tif 000009
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
内側に、上部に開口し、毛髪処理液を収容可能な半球状の第１容器と、外側に、第１容器と上縁同士が連結され、第１容器との間隙に液体を収容可能な半球状または円筒状の第２容器と、を備え、さらに、第２容器の下面に、注排水口と、注水後に注排水溝を覆うキャップとを備える二重構造容器であり、注排水口を上にして注水を行った後、注排水口をキャップで覆うことを特徴とする、毛髪処理液用カップ。
【請求項２】
さらに、第２容器の外周部に、毛髪処理液用カップを自立させるための脚部を備える、請求項１記載の毛髪処理液用カップ。
【請求項３】
第１剤と第２剤とを有する二剤式染毛剤を用いる毛髪染色方法であって、
（Ａ）第１剤を加熱し、揮発成分を除去する工程、
（Ｂ）揮発成分を除去した第１剤に、第２剤を混合し、染毛剤を調製する工程、および
（Ｃ）調製した染毛剤を用いて染毛処理を施す工程、
をこの順に含むことを特徴とする、毛髪染色方法。
【請求項４】
請求項１記載の毛髪処理液用カップを用いて、（Ａ）工程〜（Ｃ）工程を行う、請求項３記載の毛髪染色方法。
【手続補正書】
【提出日】平成25年8月8日(2013.8.8)
【手続補正１】
【補正対象書類名】特許請求の範囲
【補正対象項目名】請求項１
【補正方法】変更
【補正の内容】
【請求項１】
内側に、上部に開口し、毛髪処理液を収容可能な半球状の第１容器と、外側に、第１容器と上縁同士が連結され、第１容器との間隙に液体を収容可能な半球状または円筒状の第２容器と、を備え、さらに、第２容器の下面に、注排水口と、注水後に注排水口を覆うキャップとを備える二重構造容器であり、注排水口を上にして注水を行った後、注排水口をキャップで覆うことを特徴とする、毛髪処理液用カップ。
【国際調査報告】
2013105272.tif 000010
2013105272.tif 000011
2013105272.tif 000012
2013105272.tif 000013
2013105272.tif 000014
2013105272.tif 000015
2013105272.tif 000016